(57)【要約】【課題】調理機器の不使用時はキッチンカウンタの一部を形成し、使用時はキッチンカウンタ内に収納される蓋体を備えた調理機器ユニットを提供する。【解決手段】キッチンキャビネット７内に昇降自在に組み込まれた調理機器１と、この調理機器１の上方を左右から覆う蓋体２とからなる調理機器ユニットＡであって、該調理機器１の不使用時は、左右の蓋体２がキッチンカウンタ５と面一となるように下降した状態にある調理機器１を覆い、使用時は該調理機器１が上昇してキッチンカウンタ５に出現するとともに、上記左右の蓋体２はそれぞれ左、右にスライドして上記キッチンカウンタ５に内設された蓋体収納部４に収納される。【選択図】図４
2006247222.tif 000002
【特許請求の範囲】
【請求項１】
キッチンキャビネット内に昇降自在に組み込まれた調理機器と、この調理機器の上面を左右から覆う蓋体とからなる調理機器ユニットであって、該調理機器の不使用時は、上記左右の蓋体がキッチンカウンタと面一となるように下降状態にある調理機器を覆い、使用時は該調理機器が上昇してキッチンカウンタに出現するとともに、上記左右の蓋体はそれぞれ左、右にスライドして上記キッチンカウンタに内設された蓋体収納部に収納される調理機器ユニット。
【請求項２】
上記調理機器を昇降させる昇降手段と左右の蓋体をスライドさせる移動手段とが制御機構を介して操作ボタンにより操作される請求項１に記載の調理機器ユニット。
【請求項３】
上記調理機器が電磁調理器である請求項１に記載の調理機器ユニット。
【発明の詳細な説明】
【技術分野】
【０００１】
本発明は、キッチンキャビネット内に設けられる調理機器ユニットに関する。
【背景技術】
【０００２】
従来、開閉蓋の一端をキッチンカウンタの後側に軸支させ、キッチンキャビネットにビルトインされた熱源としての調理機器を回動自在に覆うように開閉蓋を設けた厨房ユニットが提案されている。
【特許文献１】実公平８−９５３４号公報（第１〜２頁、第２図）
【発明の開示】
【発明が解決しようとする課題】
【０００３】
しかしながら、上記技術は特許文献１の第２図からよくわかるように、上記開閉蓋を開けた状態においては使用者に圧迫感を与え、見た目もよくないという問題がある。本発明は上記問題を解決して、調理機器の不使用時はその上を覆ってキッチンカウンタと面一となり、調理機器の使用時には邪魔とならないようにスライドして収納される蓋体を備えた調理機器ユニットを提供することをその課題とする。
【課題を解決するための手段】
【０００４】
上記課題を解決するために、本発明においては、つぎのような技術的手段を講じている。すなわち、本発明によれば、キッチンキャビネット内に昇降自在に組み込まれた調理機器と、この調理機器の上面を左右から覆う蓋体とからなる調理機器ユニットであって、該調理機器の不使用時は、上記左右の蓋体がキッチンカウンタと面一となるように下降状態にある調理機器を覆い、使用時は該調理機器が上昇してキッチンカウンタに出現するとともに、上記左右の蓋体はそれぞれ左、右にスライドして上記キッチンカウンタに内設された蓋体収納部に収納される調理機器ユニットが提供される。
【０００５】
上記調理機器を昇降させる昇降手段と左右の蓋体をスライドさせる移動手段とが制御機構を介して操作ボタンにより操作されることが好ましい。上記昇降手段は油圧式あるいはモータ駆動式の公知の昇降手段が用いられる。上記移動手段は公知のスライド移動手段が用いられる。上記操作ボタンは、通常キッチンキャビネットの正面に設けられ、ワンタッチ操作可能とされる。また、上記調理機器は電磁調理器であることが好ましい。
【発明の効果】
【０００６】
請求項１に記載の発明は上記のとおりであり、調理機器の不使用時は、蓋体が調理機器の上面を左右から覆ってキッチンカウンタと面一となり、使用時は該調理機器が上昇してキッチンカウンタに出現するとともに、上記左右の蓋体はそれぞれ左、右にスライドして上記キッチンカウンタに内設された蓋体収納部に収納されるため、調理機器の不使用時はキッチンカウンタの全面を調理台として有効に使用することができる。
【０００７】
上記調理機器を昇降させる昇降手段と左右の蓋体をスライドさせる移動手段とが制御機構を介して操作ボタンにより操作されるため、ワンタッチで調理機器の上昇と左右の蓋体の各蓋体収納部への収納とが行える。また、調理作業を終えた後は、ワンタッチで調理機器を下降させるとともに、蓋体を蓋体収納部からスライド移動してカウンタ面とすることができる。
【０００８】
また、上記調理機器を電磁調理器とすることにより、狭い間口のキッチンキャビネットであってもデザイン性よく調理スペースを確保することができる。
【発明を実施するための最良の形態】
【０００９】
以下、本発明の実施形態について図面を参照して、詳細に説明する。図１は、本発明にかかる調理機器ユニットＡをキッチンキャビネット７に組み込んだ状態を示す外観斜視図である。図２は図１におけるＸ−Ｘ線に沿う側断面図である。上記調理機器ユニットＡは、図２によく示されているように、キッチンキャビネット７に組み込まれた調理機器１と、この調理機器１の上面を左右から覆う蓋体２とからなり、上記調理機器１はキッチンキャビネット７に組み込まれ、図示しない昇降手段によって昇降自在とされている。上記昇降手段は操作ボタン６によりキッチンキャビネット７内に設けられた図示しない制御機構を介して操作される。
【００１０】
図２から明らかなように、上記調理機器１は、使用しないときは下降した状態で調理機器収納部３に収納される。このとき、図１に示されているように、上記左右の蓋体２は蓋体収納部４からスライド移動して、キッチンカウンタ５の上面と略面一となるように調理機器１を覆い、キッチンカウンタ５の全面を調理台として有効に使用することができる。
【００１１】
調理機器１を使用するときは、操作ボタン６を押して調理機器１がキッチンカウンタ５に出現するように図外昇降手段を上昇させる。同時に操作ボタン６は図外制御機構を介して図外移動手段をオンとし、上記左右の蓋体２をそれぞれ左、右にスライド移動させ、蓋体２をキッチンカウンタ５に内設された蓋体収納部４に収納する。調理機器１の使用が終わったときは、操作ボタン６を押して調理機器１を下降させ、蓋体２を蓋体収納部４からスライド移動して調理機器１の上面を左右から覆う。上記の動作は操作ボタン６を押すことによりワンタッチで行うことができる。
【００１２】
図３は上記動作によりキッチンカウンタ５に出現した本発明にかかる調理機器ユニットＡを示す側断面図である。また、図４は上記動作によりキッチンカウンタ５に出現した本発明にかかる調理機器ユニットＡを示す外観斜視図である。
【図面の簡単な説明】
【００１３】
【図１】本発明にかかる調理機器ユニットをキッチンキャビネットに組み込んだ状態を示す外観斜視図である。
【図２】図１におけるＸ−Ｘ線に沿う側断面図である。
【図３】キッチンカウンタに出現した本発明にかかる調理機器ユニットを示す側断面図である。
【図４】キッチンカウンタに出現した本発明にかかる調理機器ユニットを示す外観斜視図である。
【符号の説明】
【００１４】
Ａ          本発明にかかる調理機器ユニット
１          調理機器
２          蓋体
３          調理機器収納部
４          蓋体収納部
５          キッチンカウンタ
６          操作ボタン
７          キッチンキャビネット
【図１】
2006247222.tif 000003
【図２】
2006247222.tif 000004
【図３】
2006247222.tif 000005
【図４】
2006247222.tif 000006